(57)【要約】【課題】コネクタを大型化させることなく、また、端子の形状を複雑にすることなく、端子のフローティング量を大きく確保できる回路基板用電気コネクタを提供する。【解決手段】  回路基板の実装面に対して平行な一方向を配列方向として配列される複数の接続体１０と、該接続体１０を収容するように該接続体１０に取り付けられるケース体７０とを備え、接続体１０は、相手コネクタ２に接続される端子２０を有しており、該端子２０は、該端子２０の長手方向にて被保持部２３に対して接続部２１と反対側の部位に、他の部位よりも上記配列方向で変形容易な変形可能部が形成されており、コネクタ嵌合過程にてケース体７０が案内面で相手コネクタ２を案内する際に、該ケース体７０の直動変位そして角変位に伴って、変形可能部２４が上記配列方向で変形するようになっている。【選択図】図１３
2016115488.tif 000002
【特許請求の範囲】
【請求項１】
回路基板の実装面に配される回路基板用電気コネクタにおいて、
回路基板の実装面に対して平行な一方向を配列方向として配列される複数の接続体と、
上記少なくとも一つの接続体を収容するように該接続体に取り付けられるケース体とを備え、
上記接続体は、相手コネクタに接続される端子及び該端子を保持する定置保持体を有しており、
上記接続体の上記端子は、上記実装面の回路部に接続される接続部を長手方向一端部にそして相手コネクタに設けられた相手端子と接触する接触部を長手方向他端部に有するとともに、上記端子の長手方向での上記接続部寄りの位置に上記定置保持体に保持される被保持部を有しており、
上記ケース体は、上記定置保持体に対して、上記接続体の配列方向での相対的な直動変位及び上記配列方向に対して直角なコネクタ幅方向を回転軸線とする相対的な角変位の少なくとも一方の変位が可能となっており、コネクタ嵌合過程にて上記接続体の配列方向で上記相手端子を上記端子の接触部との接触可能位置へ案内する案内面を有しており、
上記端子は、該端子の長手方向にて上記被保持部に対して上記接続部と反対側の部位に、他の部位よりも上記配列方向で変形容易な変形可能部が形成されており、
コネクタ嵌合過程にて上記ケース体が上記案内面で相手コネクタを案内する際に、該ケース体の上記直動変位そして上記角変位に伴って、上記端子の上記変形可能部が上記配列方向で変形するようになっていることを特徴とする回路基板用電気コネクタ。
【請求項２】
接続体は、端子の長手方向にて接触部と変形可能部との間での中間部位で端子を保持する可動保持体をさらに有しており、
該可動保持体は、ケース体が直動変位あるいは角変位した際に該ケース体からの押圧力を受ける受圧部を有していて、該受圧部で上記押圧力を受けることにより、コネクタ幅方向を回転軸線として定置保持体に対する相対的な角変位が可能となっていることとする請求項１に記載の回路基板用電気コネクタ。
【請求項３】
端子は、金属帯状片で作られていて、その板厚方向で変形可能となっており、
該端子の変形可能部は、可動保持体で保持されている部位よりも大きい幅となっており、上記端子の板面から没した凹部あるいは上記端子の板厚方向に貫通した孔部が上記幅の範囲内に形成されていることとする請求項２に記載の回路基板用電気コネクタ。
【請求項４】
端子は、金属帯状片で作られていて、その板厚方向で変形可能となっており、
該端子の変形可能部は、該端子の長手方向にて該変形可能部に隣接する他の部位よりも幅狭にすることで形成されていることとする請求項１又は請求項２に記載の回路基板用電気コネクタ。
【発明の詳細な説明】
【技術分野】
【０００１】
本発明は回路基板の実装面に配される回路基板用電気コネクタに関する。
【背景技術】
【０００２】
かかる回路基板用電気コネクタ（以下、単に「コネクタ」ともいう）では、回路基板の実装面に対して平行な方向で相手コネクタとの正規嵌合位置に対する位置ずれが生じている場合であっても、コネクタに設けられた端子が位置ずれの方向で変形して該位置ずれの影響を吸収することにより、コネクタ同士の嵌合接続を可能とする、いわゆるフローティング構造が採用されることがある。
【０００３】
例えば、特許文献１は、該実装面に対して平行な一方向（横方向）でのフローティングが可能であり、回路基板の実装面に対して直角をなす縦方向を嵌合方向として相手コネクタと嵌合接続されるコネクタを開示している。該コネクタは、金属帯状片を板厚方向に屈曲して作られた複数の端子を二列に配列して、該端子の長手方向での二位置に配された固定部材及び挿入部材によって二列に配列された該端子を一括保持することで構成されている。
【０００４】
上記端子は、金属帯状片の長手方向での一端部側で該金属帯状片を単に板厚方向でＬ字状に屈曲するだけで作られており、上記実装面の回路部に接続される接続部（横方向に延びる部分）を一端部にそして相手コネクタに設けられた相手端子と板面で接触する接触部（縦方向に延びる部分）を他端部に有している。
【０００５】
固定部材は、回路基板に対して相対変位することがなく、二列に配列された全ての端子を上記接続部寄りの位置で一括保持している。挿入部材は、相手コネクタに設けられた受入凹部へ挿入される部分であり、上記嵌合方向で固定部材と離間して設けられており、上記固定部材に対して上記横方向に相対的に直動変位可能となっている。該挿入部材は、コネクタ嵌合方向での中間部に設けられた端子装着部によって、二列に配列された全ての端子を、上記固定部材に保持された部分と上記接触部との間での接触部寄り位置で一括保持している。
【０００６】
端子は、挿入部材の端子装着部で保持された部分と固定部材で保持された部分との間で露呈する部分、すなわち挿入部材及び固定部材のいずれによっても保持されていない部分が、端子の板厚方向で弾性変形可能な変形部として形成されている。該変形部の弾性変形により、上記挿入部材が端子の接触部とともに、上記固定部材に対して上記横方向に相対的に直動変位するようになっている。
【０００７】
特許文献１では、上記コネクタと相手コネクタとの間に、上記横方向での位置ずれが生じている場合に、コネクタ嵌合過程にて、上記コネクタの端子の接触部が相手コネクタの受入凹部内で相手端子から正規嵌合位置へ向けた横方向での押圧力をずれ量に応じて受ける。その結果、上記挿入部材で一括保持された二列の端子の変形部が上記位置ずれに応じて板厚方向に弾性変形する。このとき、特許文献１では、二つの端子列は固定部材及び挿入部材によって端子の長手方向での二位置で一括保持されているので、上記挿入部材は、二列の端子の接触部とともに、上記縦方向に対して傾斜することなく上記横方向に直動変位する。この挿入部材の直動変位により、挿入部材が相手コネクタとの嵌合可能位置にもたらされ、両コネクタ同士の嵌合接続が可能となる。
【先行技術文献】
【特許文献】
【０００８】
【特許文献１】特開２０１０−００３６５１
【発明の概要】
【発明が解決しようとする課題】
【０００９】
フローティング構造を有するコネクタにおいては、コネクタ同士のフローティング量（ずれ量に応じた変位可能量）が大きく確保できれば、その分だけコネクタ同士の位置ずれの影響を吸収できることとなり好ましい。特許文献１のようなコネクタでは、ずれの大きいフローティング量を得るためには、端子を嵌合方向に長くすることにより、該端子の変形部の上記板厚方向での弾性変位量を大きくすることが考えられるが、これはコネクタ嵌合方向でのコネクタの大型化を招くので好ましくない。
【００１０】
また、特許文献１は、他の実施形態として、端子の長手方向中間部に、横Ｓ字状に屈曲され該端子の板厚方向で弾性変形可能な変形部を形成することが開示している。このような横Ｓ字状の変形部を設けることにより、端子ひいてはコネクタの高さ寸法を大型化することなく、端子の全長を大きくしてフローティング量を大きく確保できる。
【００１１】
しかし、このように変形部を設けた場合、コネクタの高さ寸法の大型化を回避できても、上記変形部を横Ｓ字状に屈曲している分だけ、コネクタが横方向（回路基板に対して平行な方向）で大型化してしまう。このようなコネクタの横方向での大型化は、回路基板の実装面における他の電子機器の実装のための面積を狭めてしまうこととなり、設計の自由度の低下に繋がるので好ましくない。
【００１２】
また、端子が横Ｓ字状に屈曲されており、端子の形状が複雑となってしまう。このように端子の形状が複雑であると、端子の製造に手間やコストがかかる。また、信号伝送路が湾曲しているので、例えばコネクタ同士間で伝送される信号が高速信号である場合に、信号の伝送速度に悪影響を及ぼすおそれがある。
【００１３】
本発明は、このような事情に鑑み、コネクタを大型化させることなく、また、端子の形状を複雑にすることなく、端子のフローティング量を大きく確保できる回路基板用電気コネクタを提供することを課題とする。
【課題を解決するための手段】
【００１４】
本発明に係る回路基板用電気コネクタは、回路基板の実装面に配される。
【００１５】
かかる回路基板用電気コネクタにおいて、本発明では、回路基板の実装面に対して平行な一方向を配列方向として配列される複数の接続体と、上記少なくとも一つの接続体を収容するように該接続体に取り付けられるケース体とを備え、上記接続体は、相手コネクタに接続される端子及び該端子を保持する定置保持体を有しており、上記接続体の上記端子は、上記実装面の回路部に接続される接続部を長手方向一端部にそして相手コネクタに設けられた相手端子と接触する接触部を長手方向他端部に有するとともに、上記端子の長手方向での上記接続部寄りの位置に上記定置保持体に保持される被保持部を有しており、上記ケース体は、上記定置保持体に対して、上記接続体の配列方向での相対的な直動変位及び上記配列方向に対して直角なコネクタ幅方向を回転軸線とする相対的な角変位の少なくとも一方の変位が可能となっており、コネクタ嵌合過程にて上記接続体の配列方向で上記相手端子を上記端子の接触部との接触可能位置へ案内する案内面を有しており、上記端子は、該端子の長手方向にて上記被保持部に対して上記接続部と反対側の部位に、他の部位よりも上記配列方向で変形容易な変形可能部が形成されており、コネクタ嵌合過程にて上記ケース体が上記案内面で相手コネクタを案内する際に、該ケース体の上記直動変位そして上記角変位に伴って、上記端子の上記変形可能部が上記配列方向で変形するようになっていることを特徴としている。
【００１６】
本発明の回路基板用電気コネクタでは、複数の接続体が配列されている。したがって、該複数の接続体のそれぞれに設けられた端子（接続体の配列方向に配列された端子）は、一つの保持部材（例えば既述した挿入部材）によって端子の接触部寄り位置で一括保持されてはおらず、各接続体の端子同士が独立して変位可能となっている。
【００１７】
本発明では、コネクタ嵌合前において、回路基板用電気コネクタと相手コネクタとが上記接続体の配列方向で相対的にずれて位置しているとき、コネクタ嵌合過程にて相手コネクタがコネクタ嵌合方向でケース体に当接すると、ケース体が位置ずれの側へ向けてずれ量に応じた直動変位及び角変位の少なくとも一方を伴って変位する。したがって、該ケースの変位に伴って、上記端子の上記変形可能部が上記端子の板厚方向で変形することにより、ケース体及び接続体がコネクタ同士のずれに応じてフローティングする。この結果、相手端子が上記配列方向で端子の接触部との接触可能位置へ案内面によって案内されることとなり、コネクタ同士の良好な嵌合接続状態を確保できる。
【００１８】
既述したように、該複数の接続体のそれぞれに設けられた端子は該端子の接触部寄り位置で一括保持されていないので、上記フローティングの際、各接続体の端子の変形可能部は、相手コネクタとのずれが生じている側へ向けて屈曲するように変形する。つまり、端子の変形可能部から他端部（接触部が設けられている端部）にわたる部分が、変形可能部を支点として傾斜するように変位する。したがって、本発明では、従来のように端子の接触部が傾斜することなくずれの方向で直動変位する場合と比べて、該ずれの方向での端子の接触部の変位量が大きくなる。つまり、本発明によれば、端子の全長ひいてはコネクタを大きくすることなく、また、端子の形状を複雑にすることなく、大きいフローティング量を得ることができ、コネクタ同士の大きい位置ずれに対処可能となる。
【００１９】
また、本発明によれば、コネクタ嵌合過程に限らず、正規の嵌合位置でコネクタ同士が嵌合した後に、コネクタに不用意な外力が作用してコネクタ同士に上記配列方向での相対的なずれが生じた場合であっても、上述したフローティングによってそのずれに対処することが可能である。
【００２０】
本発明において、接続体は、端子の長手方向にて接触部と変形可能部との間での中間部位で端子を保持する可動保持体をさらに有しており、該可動保持体は、ケース体が直動変位あるいは角変位した際に該ケース体からの押圧力を受ける受圧部を有していて、該受圧部で上記押圧力を受けることにより、コネクタ幅方向を回転軸線として定置保持体に対する相対的な角変位が可能となっていてもよい。
【００２１】
このような可動保持体を設けた場合、フローティングの際、直動変位あるいは角変位したケース体からの押圧力を可動保持体が受圧部で受けると、可動保持体が上述のように角変位するとともに、端子が変形可能部を支点として傾斜するように変位することとなる。上記可動保持体は、上記端子の接触部と変形可能部との間の上記中間部位に設けられている。つまり、上記変形可能部は、固定保持体と可動保持体との間に位置することとなる。上記端子は、固定保持体で保持されている部位（被保持部）及び可動保持体で保持されている部位では撓むことがないので、コネクタのフローティングの際、確実に変形可能部に応力を集中させて該変形可能部を屈曲変形させることができる。
【００２２】
本発明において、端子は、金属帯状片で作られていて、その板厚方向で変形可能となっており、該端子の変形可能部は、可動保持体で保持されている部位よりも大きい幅となっており、上記端子の板面から没した凹部あるいは上記端子の板厚方向に貫通した孔部が上記幅の範囲内に形成されていてもよい。
【００２３】
コネクタによる電気信号伝送においては、通常、電気信号の損失を最小限に抑えるべく、端子の長手方向範囲にわたるインピーダンスの変化が小さいことが好ましい。本発明では、上記変形可能部は、フローティング時にその板厚方向で変形させる必要がある関係上、他の部材で保持されることがなく、空気中に露呈している。したがって、該変形可能部でのインピーダンスを、可動保持体によって保持されている部位、すなわち周面の少なくとも一部が該可動保持体に覆われている部位でのインピーダンスに整合させるためには、上記変形可能部の幅寸法を上記可動保持体に保持されている部位の幅寸法よりも大きくする必要がある。
【００２４】
本発明では、上記凹部あるいは上記孔部を上記変形可能部の幅の範囲内に形成することにより、該変形可能部の幅寸法を上記可動部材に保持されている部位の幅寸法よりも大きくして上述のインピーダンスの整合を図りつつ、上記幅寸法を維持したまま該変形可能部を板厚方向で容易に変形可能とできる。この結果、厳密なインピーダンス整合が要求されるような場合、特に高速信号を伝送する場合であっても、本発明に係るコネクタの使用が可能となる。
【００２５】
また、本発明において、端子の変形可能部が上述したような凹部や孔部を有して形成されることは必須ではなく、厳密なインピーダンス整合が要求されない場合には、例えば、端子は、金属帯状片で作られていて、その板厚方向で変形可能となっており、該端子の変形可能部は、該端子の長手方向にて該変形可能部に隣接する他の部位よりも幅狭にすることで形成されていてもよい。
【発明の効果】
【００２６】
本発明では、端子が設けられた接続体を複数配列することにより、各接続体の端子同士の独立した変位を可能としたので、コネクタ嵌合過程あるいはコネクタ嵌合状態にて、接続体の配列方向でコネクタ同士間にずれが生じた場合であっても、変形可能部を支点として端子を傾斜するように変位させてフローティングさせることができる。この結果、端子の全長ひいてはコネクタを大きくすることなく、また、端子の形状を複雑にすることなく、大きいフローティング量を得ることができ、コネクタ同士の大きい位置ずれにも対処できる。
【図面の簡単な説明】
【００２７】
【図１】本発明の実施形態に係る電気コネクタ組立体の斜視図であり、コネクタ嵌合前の状態を示している。
【図２】（Ａ）は、図１のレセプタクルコネクタからレセプタクル側連結部材を抜き出した状態で示した該レセプタクルコネクタの斜視図であり、（Ｂ）は（Ａ）のレセプタクル側連結部材の一部を拡大した斜視図である。
【図３】（Ａ）は図１のプラグコネクタを上下反転させて示した斜視図であり、（Ｂ）は（Ａ）のプラグコネクタからグランド板及びプラグ側連結部材を抜き出した状態で示した該プラグコネクタの斜視図である。
【図４】（Ａ）は図１のレセプタクルコネクタの一部及びこれに対応するプラグコネクタの一部の斜視図であり、コネクタ嵌合前の状態を示しており、（Ｂ）は（Ａ）のプラグコネクタを上下反転させて示した斜視図である。
【図５】（Ａ）は図１のレセプタクルコネクタの一部の斜視図であり、ケース体を分離させた状態で示しており、（Ｂ）は図４（Ａ）のレセプタクルコネクタのコネクタ幅方向に対して直角な面での断面図であり、コネクタ幅方向でのケース体の端部寄り位置での断面を示している。
【図６】（Ａ）はレセプタクル側接続体を示す斜視図であり、（Ｂ）は（Ａ）のレセプタクル側接続体で保持されるレセプタクル端子の斜視図である。
【図７】（Ａ）は図６（Ａ）の接続体を短グランド板側から見た正面図であり、（Ｂ）は図６（Ａ）のレセプタクル側接続体を長グランド板側から見た背面図である。
【図８】図７（Ａ）のレセプタクル側接続体の断面図であり、（Ａ）はＡ−Ａ断面、（Ｂ）はＢ−Ｂ断面、（Ｃ）はＣ−Ｃ断面を示している。
【図９】レセプタクル側接続体に保持されるグランド板の斜視図であり、（Ａ）は長グランド板、（Ｂ）は短グランド板を示している。
【図１０】図４（Ａ）のレセプタクルコネクタの底面図である。
【図１１】（Ａ）は図４（Ｂ）のプラグコネクタをコネクタ幅方向に見た側面図である。（Ｂ），（Ｃ）は図４（Ｂ）のプラグコネクタのコネクタ幅方向に対して直角な面での断面図であり、（Ｂ）は信号端子の位置での断面、（Ｃ）はグランド端子の位置での断面を示している。
【図１２】図４（Ａ）の電気コネクタ組立体の信号端子の位置での断面図であり、（Ａ）はコネクタ嵌合前の状態、（Ｂ）はコネクタ嵌合後の状態を示している。
【図１３】電気コネクタ組立体がフローティングした状態を示す断面図であり、（Ａ）は信号端子の位置での断面、（Ｂ）は信号端子同士間の位置での断面、（Ｃ）はケース体の端部寄り位置での断面を示している。
【発明を実施するための形態】
【００２８】
以下、添付図面にもとづき、本発明の実施形態について説明する。
【００２９】
図１は、本発明の実施形態に係る電気コネクタ組立体の斜視図であり、コネクタ嵌合前の状態を示している。実施形態に係るコネクタ組立体は、互いに嵌合接続されるレセプタクルコネクタ１とプラグコネクタ２とを有している。レセプタクルコネクタ１及びプラグコネクタ２は、それぞれ異なる回路基板（図示せず）の実装面上に配される回路基板用電気コネクタであり、各回路基板の実装面に対して直角な方向（図１での上下方向）を挿抜方向として互いに嵌合接続される。
【００３０】
本実施形態では、レセプタクルコネクタ１に対するプラグコネクタ２の嵌合方向、すなわち図１でプラグコネクタ２を下方へ向けて移動させる方向（図１の矢印参照）を「コネクタ嵌合方向」とし、その反対方向、すなわち図１での上方へ向かう方向を「コネクタ抜出方向」として説明する。
【００３１】
レセプタクルコネクタ１及びプラグコネクタ２がそれぞれ実装される回路基板は、樹脂製の板状部材の表面あるいは該板状部材の内部に金属製の回路部が配されて構成されている。上記板状部材の材料としては、例えば、ガラス繊維の布にエポキシ樹脂を浸み込ませた、いわゆるＦＲ４等の一般的な材料が挙げられ、上記回路部の材料としては、例えば、リン青銅等の一般的な銅合金が挙げられる。
【００３２】
［レセプタクルコネクタ１の構成］
本実施形態に係るレセプタクルコネクタ１は、図１に見られるように、回路基板（図示せず）の実装面に対して平行な一方向を長手方向として延びる直方体外形をなしており、該長手方向を配列方向として配列される複数のレセプタクル側接続体１０と、互いに隣接する二つのレセプタクル側接続体１０を一組として収容するケース体７０と、上記配列方向で上記複数のレセプタクル側接続体１０の配列範囲にわたって延び、該複数のレセプタクル側接続体１０を連結保持する二つのレセプタクル側連結部材８０（図２をも参照）とを備えている。該レセプタクルコネクタ１は、上記ケース体７０内に収容される二つのレセプタクル側接続体１０同士間の空間（後述の受入部７６）で、プラグコネクタ２に設けられたプラグ側接続体１１０の嵌合部（後述の嵌合壁部１２２（図４（Ａ），（Ｂ）参照））を受け入れるようになっている。
【００３３】
レセプタクル側接続体１０は、図４（Ａ）によく見られるように、レセプタクルコネクタ１の短手方向であるコネクタ幅方向に配列された複数のレセプタクル端子２０と、該複数のレセプタクル端子２０を一体モールド成形で配列保持する二つの端子保持体（後述の定置保持体３０及び可動保持体４０）と、レセプタクル側接続体１０の配列方向でレセプタクル端子を挟んだ位置で互いに対面して配される二つグランド板（後述の長グランド板５０及び短グランド板６０）とを有している。本実施形態では、上記配列方向で隣接するレセプタクル側接続体１０は、互いに対称をなすように配されている。
【００３４】
レセプタクル端子２０は、図６（Ｂ）によく見られるように、上下方向に延びる金属帯状片を板厚方向で部分的に屈曲して作れられている。該レセプタクル端子２０は、回路基板の実装面の回路部に半田接続される接続部２１を下端部（一端部）に有し、プラグコネクタ２に設けられた後述のプラグ端子１３０に接触するための接触部２２を上端部（他端部）に有している。また、レセプタクル端子２０は、その下半部に、接続部２１の上方で該接続部２１に隣接する下側被保持部２３と、該下側被保持部２３の上方で該下側被保持部２３に隣接する変形可能部２４と、該変形可能部２４の上方で該変形可能部２４に隣接する上側被保持部２５とを有している。
【００３５】
本実施形態では、図５（Ａ），図６（Ａ），図７（Ａ），（Ｂ）に見られるように、各レセプタクル側接続体１０で配列保持される複数のレセプタクル端子２０のうち、一部のレセプタクル端子２０は信号端子２０Ｓとして使用され、残部のレセプタクル端子２０はグランド端子２０Ｇとして使用されている。該信号端子２０Ｓと該グランド端子２０Ｇとは所定の順序で配列されている。本実施形態では、互いに隣接する一対の信号端子２０Ｓの両側にそれぞれグランド端子２０Ｇが位置するように配列されており、上記一対の信号端子２０Ｓには、互いにペアをなす高速差動信号が伝送されるようになっている。以下、レセプタクル端子２０について、信号端子２０Ｓとグランド端子２０Ｇとを区別して説明する必要があるときは、信号端子２０Ｓの各部の符号には「Ｓ」をグランド端子２０Ｇの各部の符号には「Ｇ」を付すものとする。
【００３６】
接触部２２は、図８（Ａ），（Ｂ）によく見られるように、レセプタクル端子２０の板厚方向で凸湾曲するように形成されて板厚方向に弾性を有しており、凸湾曲した板面でプラグ端子１３０と接圧をもって接触するようになっている。該接触部２２は、後述するプラグコネクタ２のプラグ端子１３０の接触部１３２よりも幅広に形成されている。下側被保持部２３は、端子保持体としての後述の定置保持体３０によって保持される部分であり、下部が上記板厚方向で略クランク状に屈曲されて作られている。変形可能部２４は、図６（Ｂ）に見られるように、下側被保持部２３や後述の上側被保持部２５よりも幅寸法が大きく形成されており、幅方向での中央域に板厚方向で貫通した孔部２４Ａが形成されている。このように孔部２４Ａが形成されていることにより、変形可能部２４は、レセプタクル端子２０の他の部位よりも上記板厚方向で容易に変形するようになっている。上側被保持部２５は、端子保持体としての後述の可動保持体４０によって保持される部分であり、図６（Ｂ）に見られるように、その下半部がレセプタクル端子２０の他の部位よりも幅狭な幅狭部２５Ａとして形成されている。
【００３７】
既述したように、本実施形態に係るコネクタ組立体は高速信号の伝送に使用されるので、レセプタクル端子２０の長手方向範囲にわたってインピーダンスの変化が小さく抑えられる、いわゆるインピーダンス整合が図られていることが強く要求される。本実施形態では、下側被保持部２３は定置保持体３０によって、そして上側被保持部２５は可動保持体４０によって、一体モールド成形により保持されており、それらの周面の少なくとも一部が覆われている。一方、変形可能部２４は、その板厚方向で変形させる必要がある関係上、端子保持体で保持されておらず、全周面が空気中に露呈しており、その分、下側被保持部２３や上側被保持部２５よりもインピーダンスが大きくなる傾向にある。
【００３８】
本実施形態では、該変形可能部２４を下側被保持部２３や上側被保持部２５よりも幅広としてインピーダンスを小さくすることにより、該下側被保持部２３や上側被保持部２５とのインピーダンスの整合が図られている。そして、孔部２４Ａを上記変形可能部２４の幅の範囲内に形成することにより、該変形可能部２４を幅広に維持してインピーダンスの整合を図りつつ、該変形可能部２４を板厚方向で容易に変形可能としている。このように、レセプタクル端子２０では、インピーダンスの整合性と変形可能部２４の容易な変形との両方を確保できるようになっているので、本実施形態に係るレセプタクルコネクタ１は高速信号の伝送に使用できるようになっている。
【００３９】
本実施形態では、孔部２４Ａを形成することにより変形可能部２４が容易に変形するようにしたが、これに代えて、例えば、変形可能部２４の幅寸法の範囲内で該変形可能部２４の板面から没した凹部を形成することとしてもよい。また、伝送される信号の周波数が低い等、厳密なインピーダンス整合が要求されない場合には、変形可能部を該変形可能部に隣接する他の部位よりも幅狭にすることで変形容易な部位として形成としてもよい。
【００４０】
また、本実施形態では、全てのレセプタクル端子２０に変形可能部２４が設けられているが、該変形可能部２４を全てのレセプタクル端子２０に設けることは必須ではなく、例えば、各接続体１０において、端子列（レセプタクル端子２０の幅方向で配列された該レセプタクル端子２０の列）のうちの一部のレセプタクル端子２０のみに変形可能部２４を設けることとしてもよい。この場合、上記端子列の残部のレセプタクル端子２０は、上記一部のレセプタクル端子２０から孔部２４を省略したような形状をなしている。
【００４１】
本実施形態では、レセプタクル側接続体１０は複数のレセプタクル端子２０を配列した端子列を有していることとしたが、レセプタクル側接続体１０に端子が複数設けられていることは必須ではなく、各レセプタクル側接続体にレセプタクル端子を一つだけ設けて、該レセプタクル端子を例えば電源端子として使用してもよい。
【００４２】
端子保持体は、一つのレセプタクル側接続体１０に設けられた全てのレセプタクル端子２０の下側被保持部２３を一体モールド成形で一括保持する定置保持体３０と、上記全てのレセプタクル端子２０の上側被保持部２５を一体モールド成形で一括保持しコネクタ幅方向（端子幅方向）を回転軸線として定置保持体３０に対して相対的な角変位が可能な可動保持体４０とを有している。
【００４３】
定置保持体３０は、樹脂等の電気絶縁材で作られており、図５（Ａ）や図６（Ａ）に見られるように、レセプタクル端子２０の配列方向であるコネクタ幅方向に延びレセプタクル端子２０の下側被保持部２３を一体モールド成形により保持する保持部３１と、該保持部３１の両方の側面（レセプタクル側接続体１０の配列方向に対して直角な平坦面）から突出する四角柱状の複数の突部３２と、コネクタ幅方向での保持部３１の両端部に連結され上下方向に延びる被保持壁３３とを有している。
【００４４】
突部３２は、図７（Ａ），（Ｂ）によく見られるように、一方の側面に四つそして他方の側面に三つ形成されている（図１０をも参照）。それぞれ側面の突部３２は、コネクタ幅方向での両端部及び中間部に等間隔に位置している。つまり、一方の側面と突部３２と他方の側面の突部３２とは、接続体の配列方向（図７（Ａ），（Ｂ）にて紙面に対して直角な方向）に見たときに、上記両端部では同位置に設けられ、上記中間部では異なる位置に設けられている（図１０をも参照）。
【００４５】
既述したように、本実施形態では、隣接するレセプタクル側接続体１０が互いに対称に配されているので、図１０に見られるように、隣接し合うレセプタクル側接続体１０同士は、一方の側面同士あるいは他方の側面同士が対面する。この互いに対面する側面の各突部３２はそれぞれ対をなしており各対の突部３２の突出頂面同士が上記レセプタクル側接続体１０の配列方向で当接することにより、該配列方向でのレセプタクル側接続体１０の位置が規制されるようになっている。各対の突部３２同士は、レセプタクルコネクタ１の半田実装前において、突出頂面同士が当接していてもよく（図１０参照）、また、突出頂面同士間に若干の隙間が形成されていてもよい。
【００４６】
被保持壁３３は、図７（Ａ），（Ｂ）に見られるように、上記配列方向に対して直角な板面をもち上下方向に延びる板状の被保持板部３３Ａと、該被保持板部３３Ａの上部の両板面から上記配列方向へ突出した規制部３３Ｂ（図５（Ａ）をも参照）とを有している。被保持板部３３Ａは、レセプタクル側連結部材８０の保持溝部８５（図２（Ｂ）参照）へ上方から圧入されることによって保持される。また、図７（Ａ），（Ｂ）に見られるように、規制部３３Ｂは、被保持板部３３Ａの板面のコネクタ幅方向外端寄りに位置しており、図５（Ａ）に見られるように、コネクタ幅方向でのレセプタクル側連結部材８０の外側位置で該レセプタクル側連結部材８０の板面に対面することにより、コネクタ幅方向にてレセプタクル側連結部材８０に対するレセプタクル側接続体１０の位置ずれを規制している。
【００４７】
可動保持体４０は、樹脂等の電気絶縁材で作られており、図６（Ａ）や図７（Ａ），（Ｂ）によく見られるようにレセプタクル端子２０の配列方向であるコネクタ幅方向で端子配列範囲全域にわたって延び全てのレセプタクル端子２０を一括保持する基保持部４１（図８（Ｃ）をも参照）と、コネクタ幅方向で隣接する二つの信号端子２０Ｓを跨いだ位置で基保持部４１から下方に延びる複数の下方保持部４２（図８（Ｃ）参照）と、コネクタ幅方向での基保持部４１の両端位置で下方に延びる端保持部４３（図６（Ａ），図７（Ａ），（Ｂ）参照）とを有している。
【００４８】
基保持部４１は、図６（Ａ）に見られるように、コネクタ幅方向での両端部（端子配列範囲の外側の部分）の上面が、ケース体７０の下方への移動を規制するための規制面４１Ａとして形成されている（図５（Ｂ）をも参照）。下方保持部４２は、二つの信号端子２０Ｓを跨いだ位置に設けられており、該二つの信号端子２０Ｓの幅狭部２５Ａの互いに隣接する側端部（上下方向に延びる部分）を保持しており、該側端部の側端面（板厚面）及び両板面を覆っている。また、該下方保持部４２には、該下方保持部４２の板面（レセプタクル端子２０の配列方向に対して直角な面）から該配列方向へ突出する保持突部４４が設けられており、後述するように、該保持突部４４によってグランド板５０，６０が保持されるようになっている（図８（Ｃ）参照）。端保持部４３は、端子配列範囲の両端に位置するグランド端子２０Ｇの外側の側端部を保持している。また、該保持突部４４の突出頂部は、後述するように、ケース体７０が変位した際に該ケース体７０から押圧力を受ける受圧部４４Ａとして機能する（図１３（Ｂ）参照）。
【００４９】
このように本実施形態に係るレセプタクルコネクタ１は、複数のレセプタクル側接続体１０が配列されており、各レセプタクル側接続体１０にそれぞれ端子列が設けられているとともに、各端子列のレセプタクル端子２０の上側被保持部２５が端子列毎に可動保持体４０によって一括保持されている。つまり、本実施形態では、従来のような一つの保持体によって複数の端子列にわたって端子が一括保持されているコネクタとは異なり、端子列毎に独立して端子の変位が可能となっている。
【００５０】
本実施形態では、上述したように、各レセプタクル側接続体１０において、端子列の全ての端子が可動保持体４０によって一括保持されているが、全ての端子が一括保持されていることは必須ではない。例えば、上記端子列をなす複数の端子が、複数本ずつ一括保持されていてもよく、また、一本ずつ別個に保持されていてもよい。
【００５１】
長グランド板５０は、金属板部材を打ち抜いて板厚方向に屈曲して作られている。該長グランド板５０は、図５（Ａ）や図９（Ａ）に見られるように、上下方向を長手方向として延びコネクタ幅方向に配列された複数の長覆板部５１と、該長覆板部５１の配列範囲の両外側で上下方向に延びる端条部５２とを有しており、該長覆板部５１同士がそして長覆板部５１と端条部５２とが互いに連結されて構成されている。
【００５２】
長覆板部５１は、上下方向では、図７（Ｂ）や図８（Ｃ）によく見られるように、レセプタクル端子２０の接触部２２と下側被保持部２３との間の範囲に対応して延びており、コネクタ幅方向では、図７（Ｂ）によく見られるように、隣接し合う二つ信号端子２０Ｓに対応する範囲に延びている。図９（Ａ）に見られるように、該長覆板部５１は、上半部のコネクタ幅方向中央域に、下端が自由端をなす片持ち梁状の取付片５１Ａが切り起こされて形成されている。該取付片５１Ａは、下方へ向かうにつれて長覆板部５１の板厚方向でレセプタクル端子２０から離れる方向へ傾斜して延び上記板厚方向で弾性変形可能となっていて、後述するようにケース体７０に対する取付部として機能する（図４（Ａ）参照）。また、該長覆板部５１は、下半部の略中央域に、可動保持体４０の保持突部４４によって保持されるための孔部５１Ｂが貫通形成されている。長グランド板５０は、可動保持体４０の保持突部４４が上記孔部５１Ｂに挿通された状態で熱融着（熱かしめ）されることにより、該可動保持体４０に保持されている（図８（Ｃ）参照）。
【００５３】
端条部５２は、図７（Ｂ）に見られるように、コネクタ幅方向での可動保持体４０の端保持部４３に対応する位置で、長覆板部５１の下半部に対応する範囲で上下方向に延びている。
【００５４】
図５（Ａ）や図９（Ａ）に見られるように、該長覆板部５１同士はそして長覆板部５１と端条部５２とは、上下方向での三位置で連結部によって互いに連結されている。図５（Ａ）に見られるように、これらの連結部は、コネクタ幅方向でグランド端子２０Ｇの位置に設けられている。最上位置の連結部及び最下位置の連結部は、板厚方向でグランド端子２０Ｇ側へ向けて突出するように屈曲されており、その突出頂面（平坦面）が該グランド端子２０Ｇの板面に接触するグランド接触部５３として形成されている（図８（Ｂ）参照）。以下、上記最上位置のグランド接触部５３を「上側グランド接触部５３Ａ」といい、上記最下位置のグランド接触部５３を「下側グランド接触部５３Ｂ」という。具体的には、図８（Ｂ）によく見られるように、上側グランド接触部５３Ａは、グランド端子２０Ｇの上側被保持部２５Ｇの直上位置に対応して設けられ、また、下側グランド接触部５３Ｂは、上下方向でグランド端子２０Ｇの変形可能部２４Ｇの上半部及び幅狭部２５Ａの範囲に対応して設けられている。
【００５５】
短グランド板６０は、長グランド板５０と同様に、金属板部材を打ち抜いて板厚方向に屈曲して作られている。該短グランド板６０は、図９（Ｂ）によく見られるように、既述の長グランド板５０のグランド接触部５３Ｂよりも上方の部分を該長グランド板５０から省略したような形状をなしている。具体的には、該短グランド板６０は、コネクタ幅方向に配列された複数の短覆板部６１と、該短覆板部６１の配列範囲の両外側に配された端条部６２とを有しており、該短覆板部６１同士がそして短覆板部６１と端条部６２とがグランド接触部６３で連結されている。
【００５６】
短覆板部６１は、図７（Ａ）によく見られるように、コネクタ幅方向での隣接し合う二つの信号端子２０Ｓに対応する範囲に位置しており、若干上端に寄った位置に、可動保持体４０の保持突部４４によって熱融着で保持されるための孔部６１Ｂが貫通形成されている。また、該短覆板部６１は、長覆板部５１とは異なり、ケース体７０への取付けのための取付片を有していない。
【００５７】
グランド接触部６３は、図７（Ａ）によく見られるように、コネクタ幅方向でのグランド端子２０Ｇに対応する範囲に位置しており、図８（Ｂ）に見られるように、該グランド端子２０Ｇ側へ突出した突出頂面（平坦面）で該グランド端子２０Ｇの板面に接触するようになっている。
【００５８】
ケース体７０は、樹脂等の電気絶縁材で作られており、図５（Ａ）に見られるように、コネクタ幅方向を長手方向とする略直方体外形をなしている。該ケース体７０は、コネクタ幅方向に延びる二つの側壁７１と、レセプタクル側接続体１０の配列方向に延び側壁７１の端部同士を連結する二つの端壁７２と、コネクタ幅方向での該端壁７２の外側位置で該端壁７２に隣接して位置し該端壁７２の外面に連結された被規制壁部７３とを有している。
【００５９】
また、ケース体７０は、上記配列方向での中央位置で、互いに対向する端壁７２同士間をコネクタ幅方向に延び該端壁７２の下部同士を連結する中間壁７５を有している（図１０、図１２及び図１３を参照）。該中間壁７５は、上下方向に貫通する貫通孔部７５Ａがコネクタ幅方向での複数位置に配列形成されている（図１０参照）。
【００６０】
側壁７１の内側面には、レセプタクル側接続体１０を収容するための収容凹部７１Ａが形成されている（図１２（Ａ），（Ｂ）参照）。図５（Ａ）に見られるように、該側壁７１の上部には、レセプタクル端子２０の上端部を収容するための複数の溝部７１Ｂが配列形成されている。また、側壁７１の内側面の上縁部には、上方へ向かうにつれて側壁７１同士の対向方向（レセプタクル側接続体１０の配列方向）で互いに離れるように傾斜する案内面７１Ｃが形成されている。該案内面７１Ｃは、後述するように、コネクタ嵌合過程にて、上記配列方向でプラグコネクタ２の嵌合部（後述の嵌合壁部１２２）を後述の受入部７６へ向けて案内するようになっている。
【００６１】
また、側壁７１には、長グランド板５０の長覆板部５１の取付片５１Ａに対応する位置に、該取付片５１Ａを受け入れるための取付孔部７１Ｄが該側壁７１の壁厚方向で貫通して形成されている。図４（Ａ）に見られるように、該取付孔部７１Ｄを形成する縁部のうちの下縁部が上記取付片５１Ａの下端部（自由端部）に係止することにより、ケース体７０からのレセプタクル側接続体１０の抜けが防止されている。また、コネクタ幅方向でレセプタクル側接続体１０の規制面４１Ａ（図５（Ａ）参照）に対応する位置にて、側壁７１は、図５（Ｂ）に見られるように、壁厚方向で互いに隣接する外壁７１Ｅと内壁７１Ｆとを有しており、外壁７１Ｅと内壁７１Ｆとが上端部で連結されている。内壁７１Ｆの下端は、外壁７１Ｅの下端よりも上方に位置しており、該内壁７１Ｆの下端面（上下方向に対して直角な面）は、上記規制面４１Ａと当接することによりケース体７０の下方への移動が規制される被規制面７１Ｆ−１として形成されている。
【００６２】
被規制壁部７３は、図４（Ａ）に見られるように、その下部で端壁７２の外面の上下方向中間部に連結されている。該被規制壁部７３は、その内面（端壁７２の外面と対面する壁面）から没するとともに下方に開放された被規制凹部７３Ａ（図１２（Ａ）参照）が形成されている。該被規制凹部７３Ａは、コネクタ幅方向に対して直角に拡がる凹部であり、レセプタクル側連結部材８０の後述の長板部８３を下方から受け入れるようになっている（図１２（Ａ）参照）。後述するように、該被規制凹部７３Ａを形成する内壁面のうち、レセプタクル側接続体１０の配列方向（図１２（Ａ）での左右方向）に対して直角な面は、上記長板部８３の側縁と当接可能となっており、これによって、コネクタ幅方向（図１２（Ａ）での紙面に対して直角な方向）を回転軸線とするケース体７０の所定量以上の角変位が規制されるようになっている。また、被規制壁部７３と端壁７２との間で上記配列方向及び上方に開放されて形成されたスリット７４（図４（Ａ）参照）は、コネクタ嵌合状態にて、プラグコネクタ２の後述のプラグ側連結部材１５０を受け入れるようになっている。
【００６３】
レセプタクル側連結部材８０は、図１及び図２（Ａ）によく見られるように、上記配列方向に延びる金属板部材を打ち抜くとともに板厚方向に屈曲して作られており、その板面がコネクタ幅方向に対して直角をなす姿勢で、コネクタ幅方向でのレセプタクル側接続体１０の両端側位置に配されている。該レセプタクル側連結部材８０は、上記配列方向でレセプタクル側接続体１０の配列範囲の全域にわたって延び、後述するように全てのレセプタクル側接続体１０を連結保持している。本実施形態では、レセプタクル側連結部材８０は、回路基板と同等の熱膨張係数の金属、例えばリン青銅等の一般的な銅合金で作られている。
【００６４】
レセプタクル側連結部材８０は、上記配列方向でレセプタクル側接続体１０の配列範囲の全域にわたって直状に延びる直状基部８１と、該直状基部８１の上縁から上方へ起立し上記配列方向で所定間隔をもって交互に配される短板部８２及び長板部８３と、上記配列方向での長板部８３と同位置で直状基部８１の下縁からコネクタ幅方向外方へ延びる半田固定部８４とを有している。
【００６５】
短板部８２は、互いに隣接するケース体７０同士間に対応する位置に設けられており、定置保持体３０の被保持壁３３とほぼ同じ高さ寸法で延びている。図２（Ｂ）に見られるように、該短板部８２には上下方向に延びる孔部８２Ａが板厚方向に貫通して形成されており、該孔部８２Ａの両側に位置する短腕部８２Ｂが形成されている。
【００６６】
また、長板部８３は、各ケース体７０に対応する位置に設けられており、図２（Ｂ）に見られるように、上下方向では短板部８２よりも高く形成され、上記配列方向ではケース体７０の被規制壁部７３の被規制凹部７３Ａよりも若干小さく形成されている（図５（Ｂ）参照）。該長板部８３には上下方向に延びる孔部８３Ａが板厚方向に貫通して形成されており、該孔部８３Ａの両側に位置する長腕部８３Ｂが形成されている。両長腕部８３Ｂは、その上端部の外側縁が、上方へ向かうにつれて互いに近づくように傾斜する傾斜縁をなしている。
【００６７】
長板部８３の上半部は、後述するようにケース体７０の上記被規制凹部７３Ａ内に下方から収容される（図５（Ｂ）参照）。上述したように、長板部８３は上記配列方向で被規制凹部７３Ａよりも若干小さいので、該配列方向にて該長板部８３の上半部と被規制凹部７３Ａの内壁面との間に隙間が形成されている。そして、長腕部８３Ｂの上端部の外側縁が傾斜縁をなしているので、上記隙間の範囲内にて、コネクタ幅方向を軸線としたケース体７０の角変位、すなわち上記配列方向で該ケース体７０が傾斜するような変位が可能となっている（図１３（Ａ）ないし（Ｃ）参照）。換言すると、長板部８３の上記上半部は、ケース体７０の所定量以上の上記角変位を規制する規制部として機能している。
【００６８】
半田固定部８４は、回路基板の実装面の対応部に配され該対応部に半田接続により固定されるようになっている。該半田固定部８４は、図２（Ｂ）によく見られるように、上下法方向に貫通する固定孔部８４Ａが形成されており、半田接続時に溶融半田が該固定孔部８４Ａ内に流れ込むことにより、上記対応部に対する固定強度が高められるようになっている。
【００６９】
図２（Ｂ）に見られるように、互いに隣接する短板部８２と長板部８３との間で上下方向に延びるとともに上方へ開口した溝部は、レセプタクル側接続体１０の定置保持体３０の被保持板部３３Ａを上方から受け入れて圧入保持するための保持溝部８５として形成されている。
【００７０】
［レセプタクルコネクタ１の組立て］
このような構成のレセプタクルコネクタ１は、複数のレセプタクル側接続体１０をレセプタクル側連結部材８０で圧入保持して配列した後、互いに隣接する一対のレセプタクル側接続体１０を一つのケース体７０で収容するようにして、該ケース体７０を各対のレセプタクル側接続体１０に取り付けることにより組み立てられる。以下、レセプタクルコネクタ１の組立要領を詳述する。
【００７１】
まず、レセプタクル側接続体１０を製造する。具体的には、コネクタ幅方向に配列されたレセプタクル端子２０の下側被保持部２３を定置保持体３０で一体モールド成形により保持する。また、レセプタクル端子２０の上側被保持部２５を可動保持体４０で一体モールド成形により保持する。これらの一体モールド成形の工程は、いずれが先に行われてもよく、また、同時に行われてもよい。次に、可動保持体４０の一方の面側の保持突部４４を長グランド板５０の孔部５１Ｂに挿通させてから、保持突部４４を加熱して該保持突部４４の突出端部を潰して拡径させることにより該保持突部４４をグランド板５０に熱融着させる（図８（Ｃ）参照）。また、可動保持体４０の他方の面側の保持突部４４を短グランド板６０の孔部６１Ｂに挿通させてから、上記長グランド板５０と同じ要領で保持突部４４を短グランド板６０に熱融着させる（図８（Ｃ）参照）。この結果、グランド板５０，６０が可動保持体４０によって保持され、レセプタクル側接続体１０が完成する。本実施形態では、長グランド板５０を保持する工程と短グランド板６０を保持する工程とは同時に行われるが、これに代えて、いずれかの工程が先に行われてもよい。
【００７２】
次に、ケース体７０を上下反転させた姿勢（案内面７１Ｃが下方側に位置するような姿勢）とし、該ケース体７０の二つの収容凹部７１Ａのそれぞれに、レセプタクル側接続体１０を上方（案内面７１Ｃとは反対側）から仮挿入する。このとき、ケース体７０に仮挿入される一対のレセプタクル側接続体１０は、レセプタクル端子２０の接触部２２の凸湾曲面が互いに対向するような向きで仮挿入される。仮挿入されたレセプタクル側接続体１０はごく一部が収容凹部７１Ａに収容された状態で留まる。
【００７３】
次に、各レセプタクル側接続体１０に対してレセプタクル側連結部材８０を上方からもたらし、該レセプタクル側連結部材８０の保持溝部８５によって各レセプタクル側接続体１０の定置保持体３０の被保持板部３３Ａを仮保持させる。仮保持された状態において、被保持板部３３Ａはまだ保持溝部８５に圧入されておらず、被保持板部３３Ａのごく一部が保持溝部８５に進入した状態で留まっている。
【００７４】
そして、レセプタクル側接続体１０及びレセプタクル側連結部材８０を上方から同時に押し込む。このとき、レセプタクル側接続体１０に設けられた長グランド板５０の取付片５１Ａがケース体７０の側壁７１の内壁面に押圧されて弾性変位し、該側壁７１の取付孔部７１Ｄが該取付片５１Ａの位置に達すると、該取付片５１Ａが自由状態に戻って取付孔部７１Ｄ内に進入する。この結果、レセプタクル側接続体１０はケース体７０の収容凹部７１Ａ内に収容されるとともに、取付片５１Ａの下端と取付孔部７１Ｄの下縁部とが係止可能な状態となり、ケース体７０からの抜けが防止される。該レセプタクル側接続体１０の取付けは、該ケース体７０の被規制面７１Ｆ−１がレセプタクル側接続体１０の規制面４１Ａと当接することにより完了する（図５（Ｂ）参照）。
【００７５】
また、レセプタクル側連結部材８０が押し込まれると、レセプタクル側接続体１０の被保持板部３３Ａがレセプタクル側連結部材８０の保持溝部８５内へ圧入されて保持される。本実施形態では、上記一対のレセプタクル側接続体１０は、コネクタ幅方向に見て、レセプタクル側連結部材８０の長板部８３の両側に設けられた保持溝部８５で保持されている。また、レセプタクル側連結部材８０の長板部８３がケース体７０の被規制壁部７３の被規制凹部７３Ａ内に上方から進入する。
【００７６】
ケース体７０へのレセプタクル側接続体１０及びレセプタクル側連結部材８０の取付けが完了した状態で、該ケース体７０内で二つのレセプタクル側接続体１０同士間に形成される空間は、プラグコネクタ２に設けられた接続体１１０の嵌合部（後述の嵌合壁部１２２）を受け入れるための受入部７６として形成される（図１、図２、図４（Ａ）等を参照）。また、レセプタクル端子２０の上端部はそれぞれケース体７０の溝部７１Ｂに収容される。また、可動保持体４０の両方の側面に形成された保持突部４４の突出頂面、すなわち受圧部４４Ａは、それぞれ側壁７１の内側面あるいは中間壁７５の側面に近接して対面する（図１２（Ｂ）参照）。また、ケース体７０の被規制壁部７３の被規制凹部７３Ａ内にレセプタクル側連結部材８０の長板部８３の一部（図５（Ｂ）での上半部）が収容される。このようにして、ケース体７０にレセプタクル側接続体１０及びレセプタクル側連結部材８０が取り付けられることにより、レセプタクルコネクタ１の組立てが完了する。
【００７７】
［プラグコネクタ２の構成］
次に、プラグコネクタ２の構成について説明する。図３（Ａ）に見られるように、回路基板（図示せず）の実装面に対して平行な一方向を配列方向として配列される複数のプラグ側接続体１１０と、上記配列方向で上記複数のプラグ側接続体１１０の配列範囲にわたって延び、該複数の接続体１１０を連結保持する二つのプラグ側連結部材１５０とを備えている。本実施形態では、図３（Ａ）に見られるように、上記複数のプラグ側接続体１１０は、隣接するプラグ側接続体１１０同士に隙間が形成されるように配列されており（図１１（Ａ）ないし（Ｃ）をも参照）、該隙間の寸法がプラグ側接続体１１０の熱膨張量よりも大きい寸法に設定されている。
【００７８】
プラグ側接続体１１０は、図３（Ａ）に見られるように、コネクタ幅方向（レセプタクルコネクタ１のコネクタ幅方向と同じ方向）を長手方向として延びる電気絶縁材製の端子保持体としてのハウジング１２０と、該ハウジング１２０によってコネクタ幅方向に配列保持される複数のプラグ端子１３０と、ハウジング１２０に保持される二つのグランド板１４０（図３（Ｂ）参照）とを有している。
【００７９】
図４（Ａ）によく見られるように、ハウジング１２０は、コネクタ幅方向を長手方向として延びていて、同方向でレセプタクルコネクタ１とほぼ同じ寸法で形成されている。図４（Ｂ）によく見られるように、ハウジング１２０は、該ハウジング１２０の下部なす基部１２１と、該基部１２１から上方へ向けて起立する嵌合壁部１２２とを有している。該嵌合壁部１２２は、レセプタクルコネクタ１の受入部７６へ嵌入する嵌合部として形成されている。図４（Ｂ）に見られるように、該嵌合壁部１２２の上部は、両側面が上方へ向かうにつれて互いに近づくように傾斜した傾斜面が形成されており、コネクタ幅方向に見て先細り形状となっている。上記傾斜面は、コネクタ嵌合過程にて、既述のレセプタクル側接続体１０の案内面７１Ｃに案内される被案内面１２２Ａとして形成されている。
【００８０】
また、ハウジング１２０には、上下方向に延びる複数の端子収容部１２３がコネクタ幅方向で等間隔をなして配列形成されており、該端子収容部１２３でプラグ端子１３０を収容保持するようになっている。図１１（Ｂ），（Ｃ）に見られるように、端子収容部１２３は、上下方向での嵌合壁部１２２の範囲では、コネクタ幅方向に延びる該嵌合壁部１２２の両方の側面（プラグ側接続体１１０の配列方向に対して直角な面）に溝部として形成され、上下方向での基部１２１の範囲では、上記溝部に連通し該基部１２１を貫通する孔部として形成されている。また、後述のグランド端子１３０Ｇが収容される端子収容部１２３は、その溝底（上記配列方向に対して直角な内壁面）に、上記配列方向で内側へ向けて開口する開口部が形成されており、後述するグランド端子１３０Ｇの接触部１３２Ｇが上記開口部から露呈している。この結果、後述するように、グランド板１４０のグランド接触部１４１Ａが、グランド端子１３０Ｇの接触部１３２Ｇと接触できるようになっている（図１１（Ｂ）参照）。
【００８１】
プラグ端子１３０は、金属板部材を板厚方向に打ち抜いて作られており、全体形状が上下方向で直状に延びた帯片状をなしている。該プラグ端子１３０は、その板面が上記配列方向に対して直角となる姿勢でハウジング１２０の端子収容部１２３へ下方から圧入されて保持されて、コネクタ幅方向に配列されている。複数のプラグ端子１３０は、信号端子１３０Ｓまたはグランド端子１３０Ｇとして使用される。本実施形態では、該信号端子１３０Ｓ及びグランド端子１３０Ｇは、レセプタクルコネクタ１に設けられた信号端子２０Ｓ及びグランド端子２０Ｇの配列に対応して配列されている。具体的には、プラグ端子１３０は、互いに隣接する二つの信号端子１３０Ｓをグランド端子１３０Ｇが挟んで位置するように配列されている。以下、信号端子１３０Ｓとグランド端子１３０Ｇとを特に区別する必要がない場合には、単に「プラグ端子１３０」として構成を説明する。また、信号端子１３０Ｓとグランド端子１３０Ｇとを区別して説明する必要があるときは、信号端子１３０Ｓの各部の符号には「Ｓ」をグランド端子１３０Ｇの各部の符号には「Ｇ」を付すものとする。
【００８２】
図１１（Ｂ），（Ｃ）によく見られるように、プラグ端子１３０は、ハウジング１２０の嵌合壁部１２２の両方の側面に設けられており、該嵌合壁部１２２の壁厚方向（プラグ側接続体１１０の配列方向）で該嵌合壁部１２２に対して対称な二列をなして設けられている。プラグ端子１３０は、図１１（Ｂ），（Ｃ）に見られるように、回路基板の実装面の回路部に半田接続される接続部１３１を下端部（一端部）に有し、レセプタクルコネクタ１に設けられたレセプタクル端子２０に接触するための接触部１３２を上端部（他端部）側に有し、ハウジング１２０の基部１２１で圧入保持される被保持部１３３によって接続部１３１と接触部１３２とが連結されている。図１１（Ｂ），（Ｃ）に見られるように、接触部１３２は、端子収容部１２３の溝部内で上下方向に延びており、嵌合壁部１２２の側面から板面が露呈している。
【００８３】
グランド板１４０は、金属板部材にプレス加工および屈曲加工を施して作られている。該グランド板１４０は、図３（Ｂ）に見られるように、プラグ側接続体１１０の配列方向に対して直角な板面をもちコネクタ幅方向にてプラグ側接続体１１０のほぼ全域にわたって延びるグランド本体部１４１と、該グランド本体部１４１のコネクタ幅方向両端部の下縁から下方へ向けて延出するグランド脚部１４２とを有している。また、二つのグランド板１４０のうち一方のグランド板１４０は、後述する連結片部１４３をも有しており、該連結片部１４３によりグランド本体部１４１が後述のプラグ側連結部材１５０に連結されている。つまり、上記一方のグランド板１４０とプラグ側連結部材１５０とは、一体をなし同一部材として作られている。本実施形態では、グランド板１４０及び該プラグ側連結部材１５０は、回路基板と同等の熱膨張係数の金属、例えばリン青銅等の一般的な銅合金で作られている。
【００８４】
グランド本体部１４１は、図１１（Ｂ），（Ｃ）に見られるように、ハウジング１２０の嵌合壁部１２２の内部、換言するとプラグ端子１３０の端子列同士間をコネクタ幅方向（図１１（Ｂ），（Ｃ）の紙面に直角な方向）に延びている。つまり、グランド本体部１４１は、プラグ端子１３０の二つの板面のうち、接触部１３２の接触面と反対側に位置して設けられている。また、図１１（Ｂ），（Ｃ）に見られるように、グランド本体部１４１は、上下方向でプラグ端子１３０の接触部１３２に対応する範囲に位置している。
【００８５】
グランド本体部１４１は、図１１（Ｃ）に見られるように、プラグ端子１３０の配列方向でのグランド端子１３０Ｇと同位置にて、該グランド端子１３０Ｇ側へ向けて突出するとともに上下方向に延びるグランド接触部１４１Ａが、プレス加工により形成されている（図３（Ｂ）をも参照）。図１１（Ｃ）に見られるように、該グランド接触部１４１Ａは、その突出頂面（平坦面）でグランド端子１３０Ｇの接触部１３２Ｇの板面に接触している。
【００８６】
本実施形態では、図３（Ｂ）及び図１１（Ｃ）に見られるように、二つのグランド板１４０は、上記配列方向（嵌合壁部１２２の壁厚方向）でグランド接触部１４１Ａが互いに反対側へ向けて突出するように対称をなした姿勢で設けられており、ハウジング１２０に一体モールド成形により保持されている。
【００８７】
グランド脚部１４２は、その下端で回路基板の対応グランド回路部（図示せず）と半田接続されるようになっている。
【００８８】
また、プラグ側連結部材１５０に連結されているグランド板１４０は、グランド本体部１４１の両端側に、プラグ側連結部材１５０とグランド本体部１４１とを連結する連結片部１４３が形成されている。該連結片部１４３は、図３（Ｂ）に見られるように、上方から見たときに、上下方向に対して直角な板面をもって略Ｌ字状に延びており、グランド本体部１４１の上縁とプラグ側連結部材１５０の上縁とを連結している。
【００８９】
プラグ側連結部材１５０は、図３（Ａ）に見られるように、その板面がコネクタ幅方向に対して直角をなす姿勢で、コネクタ幅方向でのプラグ側接続体１１０の両端側位置に配され、上記配列方向でプラグ側接続体１１０の配列範囲の全域にわたって延びている。既述したように、該プラグ側連結部材１５０は、連結片部１４３を介して各プラグ側接続体１１０に設けられたグランド板１４０に連結されており、これによって、全てのプラグ側接続体１１０を連結保持している。
【００９０】
本実施形態では、各グランド板１４０同士はプラグ側連結部材１５０によって電気的に接続されているので、グランド効果を向上させることができる。さらには、プラグ側連結部材１５０は、その板面で、プラグ側接続体１１０の端面（コネクタ幅方向に対して直角な面）を覆っているので、シールド板としても使用できる。
【００９１】
また、本実施形態では、グランド板１４０とプラグ側連結部材１５０とが同一の金属板部材から一体的に作られていることとしたたが、このように同一部材で作られることは必須ではなく、該グランド板１４０と該プラグ側連結部材１５０とが異なる部材として別個に形成されることとしてもよい。
【００９２】
［プラグコネクタ２の組立て］
このような構成のプラグコネクタ２は、以下の要領で作られる。まず、二つのグランド板１４０のグランド本体部１４１の板面同士を上記配列方向で対面させた状態で一体モールド成形を行うことにより、これらのグランド本体部１４１をハウジング１２０で保持する。この一体モールド成形の際、プラグ側連結部材１５０が連結されているグランド板１４０は、連結片部１４３とプラグ側連結部材１５０との連結部分が屈曲されておらず、該プラグ側連結部材１５０の板面が上下方向に対して直角をなしている。
【００９３】
次に、連結片部１４３とプラグ側連結部材１５０との連結部分を板厚方向で直角に屈曲して該プラグ側連結部材１５０をハウジング１２０の端面に近接して対面させる（図３（Ａ）参照）。そして、ハウジング１２０の端子収容部１２３にプラグ端子１３０を下方から圧入して保持させることにより、プラグコネクタ２が完成する。
【００９４】
［回路基板へのコネクタ１，２の実装］
次に、レセプタクルコネクタ１及びプラグコネクタ２の回路基板への実装について説明する。レセプタクルコネクタ１は、全てのレセプタクル側接続体１０に設けられたレセプタクル端子２０の接続部２１を回路基板の対応回路部へ半田接続するとともに、レセプタクル側連結部材８０の半田固定部８４を上記回路基板の対応部へ半田接続することにより、該回路基板に半田実装される。
【００９５】
レセプタクルコネクタ１の半田実装は、例えば、レセプタクルコネクタ１が回路基板の実装面に配された状態で該回路基板とともにリフローされることにより行われる。その半田実装時において、レセプタクル側接続体１０（特に定置保持体３０及び可動保持体４０）、レセプタクル側連結部材８０そして回路基板のそれぞれが熱膨張する。本実施形態では、レセプタクル側連結部材８０が回路基板と同等の熱膨張係数の金属で作られていて、レセプタクル側連結部材８０と上記回路基板との熱膨張率差がほとんどないので、両者の熱膨張量がほぼ等しい。したがって、レセプタクル側連結部材８０により保持されるレセプタクル側接続体１０の回路基板への実装部分には、熱膨張率差に起因する残留応力が生じないか、あるいは殆ど生じない。
【００９６】
また、レセプタクルコネクタ１は、複数のレセプタクル側接続体１０がレセプタクル側連結部材８０で連結保持されて構成されているので、半田実装時、上記複数のレセプタクル側接続体１０の端子保持体（定置保持体３０及び可動保持体４０）自体がそれぞれ小さな熱膨張量で熱膨張する。つまり、コネクタ全体を見たとき、レセプタクル側接続体１０の配列方向での全域にわたる範囲で分散するようにして該配列方向での端子保持体の変形が生じる。したがって、一つのハウジングで複数の端子が保持されている従来のコネクタのように、接続体が局部的に大きな熱膨張量で変形するようなことがない。この結果、レセプタクル端子２０と回路基板の回路部との半田実装状態を良好に確保できる。
【００９７】
既述したように、定置保持体３０は、上記配列方向での位置規制のための突部３２が保持部３１の側面から上記配列方向へ突出して形成されている。該定置保持体３０は、レセプタクル端子２０との一体モールド成形の際に作られるが、その一体モールド成形時において、溶融した電気絶縁材料（例えば樹脂材料）が成形金型内に注入されると、該電気絶縁材料は、上記突部３２に対応する金型部分内では上記配列方向に流れることとなる。一般に、コネクタに利用される、ガラス繊維を含んだ樹脂等（ＬＣＰ等）の電気絶縁材料は、溶融した材料の流れに沿った方向での熱膨張率が、該流れに対して直角な方向での熱膨張率と比べて極めて小さいことが知られている。したがって、上記配列方向に流された電気絶縁材料で形成された突部３２は、その流れに沿った方向である上記配列方向での熱膨張率が小さく、また、その熱膨張率はレセプタクル側連結部材８０の熱膨張率よりも小さい。したがって、半田実装時での上記配列方向での突部３２の熱膨張量が小さくなるので、互いに当接する突部３２の熱膨張がレセプタクルコネクタ１全体の上記配列方向での変形に与える影響を極力抑えることができる。
【００９８】
また、本実施形態では、レセプタクル側接続体１０の両方の側面に複数ずつ設けられた突部３２は、コネクタ幅方向での中間範囲（両端部を除いた範囲）にて、上記配列方向に見たときに、一方の側面の突部３２と他方の側面の突部３２とが異なる位置に設けられている。このように互いに異なる位置に突部３２を設けると、半田実装時、各レセプタクル側接続体１０において、上記配列方向での熱膨張により、隣接するレセプタクル側接続体１０から受けた当接力（外力）が反対側で隣接するレセプタクル側接続体１０へ伝達されることを回避できる。例えば、一方の側面の突部３２が該一方の側面で隣接するレセプタクル側接続体１０の突部３２からの当接力を受けた場合、該当接力を受けたレセプタクル側接続体１０の他方の面には、上記当接力を受けた上記一方の側面の突部３２に対応する位置に突部が存在していない。したがって、上記当接力は、上記他方の側面で隣接するレセプタクル側接続体１０へ伝達されることがなく、該他方の側面に沿った成分をもって分散される。この結果、上記配列方向でレセプタクル側接続体１０に作用する外力（当接力）ひいては半田実装部分での残留応力をより小さくできる。
【００９９】
本実施形態では、レセプタクル側接続体１０の一方の側面の突部３２と他方の側面の突部３２とが上記配列方向に見たときに異なる位置に設けられていることは必須ではなく、半田実装部分に生じる残留応力を十分に小さくできるのであれば、全ての突部３２が同位置に設けられていてもよい。
【０１００】
プラグコネクタ２は、全てのプラグ側接続体１１０に設けられたプラグ端子１３０の接続部１３１及びグランド板１４０のグランド脚部１４２をそれぞれ回路基板の対応回路部へ半田接続することにより、該回路基板に半田実装される。
【０１０１】
プラグコネクタ２の半田実装も、レセプタクルコネクタ１の場合と同様に、プラグコネクタ２が回路基板の実装面に配された状態で該回路基板とともにリフローされることにより行われる。また、本実施形態では、プラグ側連結部材１５０が回路基板と同等の熱膨張係数の金属で作られており、該プラグ側連結部材１５０と上記回路基板との熱膨張率差がほとんどないので両者の熱膨張量がほぼ等しい。したがって、プラグ側連結部材１５０により保持されるプラグ側接続体１１０の回路基板への実装部分には、熱膨張率差に起因する残留応力が生じないか、あるいは殆ど生じない。
【０１０２】
また、プラグコネクタ２は、複数のプラグ側接続体１１０がプラグ側連結部材１５０で連結保持されて構成されているので、既述のレセプタクルコネクタ１の場合と同様に、コネクタ全体を見たとき、レセプタクル側接続体１０の配列方向での全域にわたる範囲で分散するようにして該配列方向でのハウジング１２０の変形が生じる。この結果、プラグ端子１３０と回路基板の回路部との半田実装状態を良好に確保できる。
【０１０３】
また、本実施形態では、隣接するプラグ側接続体１１０同士が、回路基板への実装によるプラグ側接続体１１０の配列方向での該プラグ側接続体１１０の熱膨張量よりも大きい寸法の隙間をもって配列されている。したがって、半田実装時にて、各プラグ側接続体１１０は上記配列方向にて上記隙間の範囲内で熱膨張状態となるので、隣接するプラグ側接続体１１０同士が当接することがない。この結果、コネクタ全体で見たときに接続体同士の当接によるコネクタの反りや捻じれを防止でき、半田実装部分での残留応力の発生をより確実に防止できる。
【０１０４】
本実施形態では、連結部材８０，１５０は回路基板と同等の熱膨張係数の金属で作られていることとしたが、これに代えて、例えば、連結部材が回路基板と同等の熱膨張係数の樹脂で作られていてもよい。連結部材を該樹脂で作った場合においても、半田実装時での連結部材と回路基板との熱膨張量がほぼ等しくなり、接続体１０，１１０の回路基板への実装部分に、熱膨張率差に起因する残留応力の発生を最小限に留めることができる。回路基板と同等の熱膨張係数の樹脂としては、例えばクラレ社の９Ｔナイロン等のポリアミド系樹脂が挙げられる。
【０１０５】
［コネクタ嵌合動作］
次に、それぞれ回路基板に実装されたレセプタクルコネクタ１とプラグコネクタ２との嵌合動作を説明する。まず、図１、図４（Ａ）、図１２（Ａ）に示されるように、レセプタクルコネクタ１の受入部７６が上方へ開口した姿勢とするとともに、プラグコネクタ２の嵌合壁部１２２（嵌合部）が基部１２１から下方へ向けて延びるような姿勢として該レセプタクルコネクタ１の上方位置へもたらす。そして、各プラグ側接続体１１０の嵌合壁部１２２を、それぞれ対応するケース体７０の受入部７６に対応させて位置させる。
【０１０６】
次に、プラグコネクタ２を下方へ移動させて、各プラグ側接続体１１０をそれぞれ対応するレセプタクル側接続体１０に上方から嵌合させる。このとき、各プラグ側接続体１１０の嵌合壁部１２２は、上記配列方向で対向する二つのレセプタクル側接続体１０のレセプタクル端子２０を互いに離れる方向に弾性変位させて、すなわちレセプタクル端子２０同士間を押し広げるようにして、受入部７６に進入する。また、プラグコネクタ２のプラグ側連結部材１５０がケース体のスリット７４に進入する。
【０１０７】
図１２（Ｂ）に見られるように、レセプタクル側接続体１０とプラグ側接続体１１０とが嵌合すると、レセプタクル端子２０の接触部２２とプラグ端子１３０の接触部１３２とが互いに接圧をもって接触して電気的に導通する。具体的には、信号端子２０Ｓの接触部２２Ｓが信号端子１３０Ｓの接触部１３２Ｓと接触し（図１２（Ｂ）参照）、グランド端子２０Ｇの接触部３２Ｇがグランド端子１３０Ｇの接触部１３２Ｇと接触する。このようにして、全てのレセプタクル側接続体１０とプラグ側接続体１１０とが嵌合することにより、レセプタクルコネクタ１とプラグコネクタ２との嵌合動作が完了する。
【０１０８】
次に、レセプタクルコネクタ１とプラグコネクタ２との相対位置が接続体１０，１１０
の配列方向でずれていた場合におけるコネクタ嵌合動作について説明する。コネクタ嵌合直前にてコネクタ１，２同士の相対位置が上記配列方向で若干ずれている場合には、コネクタ嵌合開始直後、まず、上方からもたらされた各プラグ側接続体１１０の嵌合壁部１２２の被案内面１２２Ａがレセプタクルコネクタ１のケース体７０の案内面７１Ｃに当接する。さらにプラグコネクタ２を下方へ移動させると、該ケース体７０が案内面７１Ｃでプラグ側接続体１１０の被案内面１２２Ａから、上記配列方向でプラグ側接続体１１０がずれている側へ向けた押圧力を受ける。その結果、ケース体７０は、コネクタ幅方向を回転軸線として、プラグ側接続体１１０がずれている側へ傾斜するようにして、定置保持体３０に対して相対的に角変位する。
【０１０９】
ケース体７０が上述のように角変位すると、該ケース体７０内の二つのレセプタクル側接続体１０は、可動保持体４０の受圧部４４Ａが、ケース体７０の側壁７１あるいは中間壁７５からの押圧力を受ける（図１３（Ｂ）参照）。また、これと同時に、該可動保持体４０は、長グランド板５０を介して側壁７１の外壁７１Ｅから、あるいは短グランド板６０を介して中間壁７５からの押圧力を受ける（図１３（Ｃ）参照）。
【０１１０】
本実施形態では、既述したように、レセプタクル端子１０の端子列（各レセプタクル側接続体１０にてコネクタ幅方向で配列されたレセプタクル端子１０の列）及び該端子列を保持する可動保持体４０は、レセプタクル側接続体１０毎に独立して上記配列方向での変位が可能となっている。したがって、上記可動保持体４０の受圧部４４Ａが上記配列方向での上記押圧力を受けると、可動保持体４０は、ずれの方向に直動変位するのではなく、図１３（Ａ）ないし（Ｃ）に見られるように、ケース体７０に伴って定置保持体３０に対して相対的に角変位する。
【０１１１】
その結果、該可動保持体４０の角変位に伴って、図１３（Ｂ）に見られるように、可動保持体４０に保持されているレセプタクル端子２０の変形可能部２４がその板厚方向で屈曲するように変形する。したがって、レセプタクル端子２０は、変形可能部２４を支点として、該変形可能部２４から上端部（接触部２２側の端部）にわたる部分が傾斜するように変位する。該変形可能部２４の変形は弾性変形及び塑性変形のいずれであってもよい。このように、レセプタクルコネクタ１は、ケース体７０を角変位させるとともに、該角変位にともなってレセプタクル側接続体１０をも上記相対位置のずれの方向に変位させることにより、ずれに追従してフローティングすることとなる。
【０１１２】
本実施形態では、レセプタクル端子２０が傾斜するように変位するので、従来のように端子の接触部が傾斜することなくずれの方向で直動変位する場合と比べて、該ずれの方向でのレセプタクル端子２０の接触部２２の変位量が大きくなる。つまり、本実施形態によれば、端子の全長ひいてはコネクタを大きくすることなく、また、端子の形状を複雑にすることなく、大きいフローティング量を得ることができ、コネクタ同士の大きい位置ずれに対処できる。
【０１１３】
また、本実施形態では、変形可能部２４は、下側被保持部２３と上側保持部２５との間、換言すると固定保持体３０と可動保持体４０との間に位置することとなる。したがって、レセプタクル端子２０は、固定保持体３０で保持されている下側被保持部２３及び可動保持体４０で保持されている上側保持部２５では撓むことがないので、フローティングの際、確実に変形可能部２４に応力を集中させて該変形可能部２４を屈曲変形させることができる。
【０１１４】
このようにレセプタクルコネクタ１がフローティングする結果、プラグ側接続体１１０の嵌合壁部２２がケース体７０の案内面７１Ｃによって受入部７６内へ向けて案内され、プラグ端子１３０の接触部１３２がレセプタクル端子２０の接触部２２との接触可能位置へもたらされる。そして、プラグ側接続体１１０をさらに下方へ移動させることにより、コネクタ嵌合動作が完了する。図１３（Ａ）ないし（Ｃ）に見られるように、コネクタ嵌合動作の完了した状態においても、ケース体７０およびレセプタクル側接続体１０が傾斜した姿勢は維持されている。
【０１１５】
本実施形態では、レセプタクルコネクタ１がコネクタ嵌合過程でフローティングすることとしたが、フローティングするのはコネクタ嵌合過程には限られない。例えば、コネクタ同士が正規の嵌合位置で嵌合した場合であっても、コネクタ嵌合状態において、コネクタ１，２が上記配列方向で不用意な外力を受けることがあり得る。コネクタ嵌合状態にて、このような外力によってコネクタ１，２同士の相対位置がずれた場合であっても、レセプタクルコネクタ１がそのずれの方向にフローティングすることにより、コネクタ１，２同士が電気的に接続された状態が良好に維持される。
【０１１６】
本実施形態では、レセプタクル端子２０の接触部２２がプラグ端子１３０の接触部１３２よりも幅広に形成されている。したがって、コネクタ嵌合過程及びコネクタ嵌合状態にて、レセプタクル端子２０とプラグ端子１３０との相対位置がコネクタ幅方向（端子の幅方向）でずれていても、プラグ端子１３０の接触部１３２がレセプタクル端子２０の接触部２２の幅の範囲内に位置しているのであれば、これらの接触部２２，１３２同士を接触させることができる。本実施形態では、レセプタクル端子２０の接触部２２が幅広であることとしたが、これに代えて、プラグ端子の接触部が幅広であってもよく、また、両方の端子の接触部が幅広であってもよい。
【０１１７】
また、本実施形態では、角変位したケース体７０がレセプタクル側接続体１０の可動保持体４０の受圧部４４Ａを押圧することによりレセプタクル側端子２０を変位させる。つまり、ケース体７０が可動保持体４０を介してレセプタクル端子２０を間接的に押圧していたが、これに代えて、ケース体７０がレセプタクル端子２０を直接押圧して変位させるようになっていてもよい。
【０１１８】
本実施形態では、コネクタ１，２同士の相対位置のずれに応じてケース体７０が角変位することとしたが、これに代えて、例えば、ケース体７０が、上記配列方向で直動変位するようになっていてもよく、また、上記角変位と上記直動変位の両方を含んだ変位をするようになっていてもてよい。
【０１１９】
本実施形態では、レセプタクル端子２０は板厚方向に変位するとともに板面でプラグ端子１３０と接触するようになっていたが、これに代えて、レセプタクル端子はその板面に平行な方向に変位するとともに板厚面（破断面）でプラグ端子と接触するようになっていてもよい。
【０１２０】
また、本実施形態では、レセプタクル端子２０の接触部２２が凸湾曲していて弾性をもっており、プラグ端子１３０の接触部１３２には弾性がないこととしたが、これに代えて、レセプタクル端子の接触部とともに、あるいは該接触部に代えて、プラグ端子の接触部が弾性をもつようにしてもよい。また、本実施形態では、レセプタクル端子２０は変形可能部２４で変形できるようになっているので、レセプタクル端子の接触部２２が弾性をもっていることは必須ではなく、仮に、該接触部２２が弾性をもっていなくても、同じく弾性をもたないプラグ端子１３０の接触部１３２に対して接圧をもって接触することができる。
【０１２１】
本実施形態では、回路基板の実装面に対して直角な方向をコネクタ嵌合方向とするコネクタ組立体に本発明を適用する形態について説明したが、これに代えて、本発明は、例えば、回路基板の実装面に対して平行な方向を嵌合方向とする、いわゆるライトアングルタイプのコネクタ組立体にも適用可能である。
【符号の説明】
【０１２２】
１  レセプタクルコネクタ                ３２  突部
２  プラグコネクタ                      ４４Ａ  受圧部
１０，２１０  レセプタクル側接続体      ７０  ケース体
２０  レセプタクル端子                  ７１Ｃ  案内面
２１  接続部                            ８０  レセプタクル側連結部材
２２  接触部                            １１０  プラグ側接続体
２４  変形可能部                        １２０  ハウジング（端子保持体）
２３  下側被保持部                      １３０  プラグ端子
２５  上側被保持部                      １３１  接続部
３０  定置保持体（端子保持体）          １３２  接触部
４０  可動保持体（端子保持体）          １５０  プラグ側連結部材
【図１】
2016115488.tif 000003
【図２】
2016115488.tif 000004
【図３】
2016115488.tif 000005
【図４】
2016115488.tif 000006
【図５】
2016115488.tif 000007
【図６】
2016115488.tif 000008
【図７】
2016115488.tif 000009
【図８】
2016115488.tif 000010
【図９】
2016115488.tif 000011
【図１０】
2016115488.tif 000012
【図１１】
2016115488.tif 000013
【図１２】
2016115488.tif 000014
【図１３】
2016115488.tif 000015